(57)【要約】      （修正有）【課題】２次元的に異なる形状を有する構造から３次元的に異なる形状を有する構造へと姿勢転換しうる使い捨てデンタルフロスホルダーを提供する。【解決手段】板形状の把持部１０と把持部１０の先端中央部で基部が一体的に連結され、先端が把持部１０の長手方向に突出されており、先端が把持部１０の幅方向外側方向に２つに分岐され、２つに分岐された橋部の先端内側部には、デンタルフロス３の両端が固定されているデンタルフロス固定部２０及びデンタルフロス固定部２０と把持部１０間に形成される第３折曲線１６を含む。【選択図】図３
2010119827.tif 000002
【特許請求の範囲】
【請求項１】
２次元的に異なる形状を有する構造から３次元的に異なる形状を有する構造へと姿勢転換しうる使い捨てデンタルフロスホルダーにおいて、
板形状の把持部；
上記把持部の先端中央部で基部が一体的に連結され、先端が上記把持部の長手方向に突出されており、先端が上記把持部の幅方向の外側方向に２つに分岐され、２つに分岐された橋部の先端の内側部には、デンタルフロスの両端が固定されているデンタルフロス固定部；及び
上記デンタルフロス固定部と上記把持部と間に形成される第３の折曲線；
を含むことを特徴とする使い捨てデンタルフロスホルダー。
【請求項２】
上記把持部には、一端が上記把持部の先端の片側の角から始まり、他端が基部側へ斜線で上記把持部の他側部まで伸び、上記把持部の先端と一側部が協力して第２の三角形の形状部を上記把持部が有するようにするか、または、上記把持部の一側部から始まり、他端が基部側へ斜線で上記把持部の他側部まで伸び、上記把持部の両側部と協力して台形の形状部を上記把持部が有するようにする第２の折曲線が形成されたことを特徴とする請求項１に記載の使い捨てデンタルフロスホルダー。
【請求項３】
上記把持部には、上記デンタルフロス固定部の基部を介して、上記把持部の先端及び側部と協力して上記把持部の先端両側部から線対称的に配列された三角形の形状部を上記把持部１０が有するように、一端が上記把持部の先端から始まり、他端が基部側へ上記把持部の幅外側方向に伸び、上記把持部の側部に達する一対の第１の折曲線が形成されたことを特徴とする請求項１に記載の使い捨てデンタルフロスホルダー。
【請求項４】
上記把持部には、上記デンタルフロス固定部の基部と連結された上記把持部の先端で互いに平行に一端が始まり、他端が上記把持部の基部に向けて上記把持部の中央部まで伸びた第１の折曲線が形成されることを特徴とする請求項１に記載の使い捨てデンタルフロスホルダー。
【請求項５】
上記把持部の先端の両角には、上記橋部にそれぞれ形成された孔に嵌合結合されうる一対の突出バーが、上記把持部の長手方向にそれぞれ突出形成されていることを特徴とする請求項１に記載の使い捨てデンタルフロスホルダー。
【請求項６】
上記一対の突出バー１３の先端には、上記突出バーの幅より直径が大きい半球形状の第１の係止片が上記把持部の長手方向にそれぞれ突出形成され、上記橋部に形成された孔には、上記孔の中心から対角線上にそれぞれ切欠部が形成されていることを特徴とする請求項５に記載の使い捨てデンタルフロスホルダー。
【請求項７】
上記把持部の先端両角には、上記把持部の長手方向に一対の突出バーａがそれぞれ突出形成され、上記一対の突出バーの先端には対向する方向に上記把持部の先端と離隔された第２の係止片がそれぞれ突出形成され、上記橋部の先端と両端が連結されたデンタルフロスと対向する上記橋部の内周面には一対の凹部が形成されることを特徴とする請求項１に記載の使い捨てデンタルフロスホルダー。
【請求項８】
上記把持部の基部中央部には開口部が形成され、上記開口部には爪ようじの基部が上記開口部の先端側内面に一体的に連結され、上記爪ようじの先端は上記開口部の基部側内面に向けて伸びていることを特徴とする請求項１に記載の使い捨てデンタルフロスホルダー。
【請求項９】
上記把持部の両側部に長手方向に形成された第１及び第２の折曲線を有しており、把持部が中央部材と両側部材とに区分されたことを特徴とする使い捨てデンタルフロスホルダー。
【請求項１０】
上記デンタルフロス固定部には、上記橋部の先端とデンタルフロスとを同時に囲んで上記デンタルフロスを保護するカバーが備えられたことを特徴とする請求項１に記載の使い捨てデンタルフロスホルダー。
【請求項１１】
上記把持部とデンタルフロス固定部は、折り畳んで形態を保持しうるプラスチック（ＰＰ、ＰＥ）材の成形体からなることを特徴とする請求項１に記載の使い捨てデンタルフロスホルダー。
【請求項１２】
上記把持部は、上記デンタルフロス固定部より薄厚の板形状からなることを特徴とする請求項１に記載の使い捨てデンタルフロスホルダー。
【請求項１３】
上記把持部は、上記デンタルフロス固定部の基部と同じ幅を有して形成されたことを特徴とする請求項１に記載の使い捨てデンタルフロスホルダー。
【発明の詳細な説明】
【技術分野】
【０００１】
本発明は、使い捨てデンタルフロスホルダーに関する。さらに具体的には、歯において前歯だけでなく、奥歯間に挟まった異質物を容易に除去しうる使い捨てデンタルフロスホルダーに関する。
【背景技術】
【０００２】
一般に、デンタルフロスホルダーは、一般の歯ブラシでは除去できない歯間のプラーグ（歯垢）や食物滓などを除去する時に使用されるものであり、市中には、プラスチック成形体のホルダーにデンタルフロスの両端が固定された構成で作られた使い捨て特性の強いデンタルフロスホルダーが広く普及されている。
【０００３】
市販されている使い捨てデンタルフロスホルダー１は、図１に示されるように、使用者の把持部部分になるホルダー本体２の先端から下方に２つに分岐され、ホルダー本体２が伸びている方向で互いに離隔された橋部４、４にデンタルフロス３の両端が固定され、デンタルフロス３の長手方向とホルダー本体２の伸びている方向が互いに平行に配置され、全体的に２次元的に異なる形状を有する構成で形成されている。
【０００４】
上記のように構成された使い捨てデンタルフロスホルダー１は、前歯間に挟まった異質物を容易に除去できるが、奥歯のように口の内側に位置した歯間に挟まった異質物を除去することは難しい。
【０００５】
それは、歯の構造上、前歯間の隙間は、口の内外に進退する方向に露出され、奥歯間の隙間は口内外へ進退する方向に対して、略９０度の方向に露出され、上記デンタルフロスホルダー１は奥歯間の隙間にデンタルフロスを適用し、この隙間に挟まった異質物などを除去するためには、上記デンタルフロスホルダー１全体を口の中に入れ、横方向に進退運動させなければならないたからである。
【０００６】
そこで、図２に示されるように、使用者の把持部部分になるホルダー本体の先端から下方に２つに分岐され、ホルダー本体が伸びている方向を横断する方向で、互いに離隔された橋部６、６にデンタルフロス３の両端が固定され、デンタルフロス３の長手方向とホルダー本体５の伸びている方向が略９０度の角度を有するように配置され、３次元的に異なる形状を有する構造で形成された使い捨てデンタルフロスホルダー７が提案され、使われている。
【発明の概要】
【発明が解決しようとする課題】
【０００７】
しかし、上記使い捨てデンタルフロスホルダー７は、奥歯間に挟まった異質物を容易に除去することができるが、図１に図示された使い捨てデンタルフロスホルダー１とは反対に、デンタルフロス３の長手方向とホルダー本体５の伸びている方向が略９０度の角度を有しているため、口の内外に進退する方向に露出されている前歯間の隙間に挟まった異質物を除去するためには、上記ホルダー本体５全体を口に対して、平行した方向へ姿勢転換させた状態で、上記デンタルフロス３を前歯間に入れなければならない面倒な問題があるだけでなく、使用者が上記デンタルフロス３を上記前歯間の隙間で進退運動させる時、上記ホルダー本体５が口の周囲の部位とぶつかるという問題点があった。
【０００８】
また、上記使い捨てデンタルフロスホルダー７は、上述された３次元的に異なる形状を有する構造からなり、使用者の財布やポケットに携帯が不便であるという問題点があった。
【０００９】
本発明は、デンタルフロスホルダーが、２次元的に異なる形状を有する構造から３次元的に異なる形状を有する構造へと姿勢転換しうる構成を有するようにすることを目的とする。
【課題を解決するための手段】
【００１０】
上記目的を達成するための本発明は、２次元的に異なる形状を有する構造から３次元的に異なる形状を有する構造へと、姿勢転換しうる使い捨てデンタルフロスホルダーにおいて、板形状の把持部；上記把持部の先端中央部で基部が一体的に連結され、先端が上記把持部の長手方向に突出されており、先端が上記把持部の幅方向の外側方向に２つに分岐され、２つに分岐された橋部の先端の内側部には、デンタルフロスの両端が固定されているデンタルフロス固定部；及び上記デンタルフロス固定部と上記把持部と間に形成される第３の折曲線；を含むことを特徴とする。
【発明の効果】
【００１１】
本発明に係る使い捨てデンタルフロスホルダーによれば、一つのデンタルフロスホルダーで前歯及び奥歯まで使用することができるので、前歯用と奥歯用のデンタルフロスホルダーを別々に購入しなくても済む効果がある。
【図面の簡単な説明】
【００１２】
【図１】従来の使い捨てデンタルフロスホルダーの斜視図である。
【図２】従来の使い捨てデンタルフロスホルダーの斜視図である。
【図３】本発明の第１の実施例に係る使い捨てデンタルフロスホルダーの斜視図である。
【図４】本発明の第１の実施例に係る使い捨てデンタルフロスホルダーの三角形の形状部が折り畳まれた状態を示した図である。
【図５】本発明の第１の実施例に係る使い捨てデンタルフロスホルダーが前歯に使われる様子を示した図である。
【図６】本発明の第１の実施例に係る使い捨てデンタルフロスホルダーの頭部が折り畳まれた状態を示した図である。
【図７】本発明の第２の実施例に係る使い捨てデンタルフロスホルダーの係止片と孔を説明するための図である。
【図８】本発明の第３の実施例に係る使い捨てデンタルフロスホルダーの第２係止片と凹部を説明するための図である。
【図９】本発明の第３の実施例に係る使い捨てデンタルフロスホルダーの第２係止片と凹部を説明するための図である。
【図１０】図８に図示された本発明の第３の実施例に係る使い捨てデンタルフロスホルダーの頭部が折り畳まれた状態を示した図である。
【図１１】本発明の第４の実施例に係る使い捨てデンタルフロスホルダーを示した図である。
【図１２】本発明の第４の実施例に係る使い捨てデンタルフロスホルダーを示した図である。
【図１３】本発明の第４の実施例に係る使い捨てデンタルフロスホルダーを示した図である。
【発明を実施するための形態】
【００１３】
以下、添付図面を参照して本発明の実施例に係る使い捨てデンタルフロスホルダーを詳細に説明する。本発明の説明は、関連した公知機能或いは構成に対する具体的な説明は、発明の要旨を曖昧にしないために省略される。
【００１４】
図３は、本発明の第１の実施例に係る使い捨てデンタルフロスホルダーの斜視図である。本発明の第１の実施例に係る使い捨てデンタルフロスホルダー１００は、折り畳んで形態を保持しうるプラスチック（ＰＰ：polypropylene、ＰＥ：polyethylene）材の成形体からなる薄厚の板形状の把持部１０と；上記把持部１０の先端中央部で基部が一体的に連結され、先端が上記把持部１０の長手方向に突出されており、先端が上記把持部１０の幅方向の外側方向に２つに分岐され、２つに分岐された橋部２１、２１の先端内側部にはデンタルフロス３の両端が固定されているデンタルフロス固定部２０と；上記デンタルフロス固定部２０の橋部２１、２１の先端とデンタルフロス３とを同時に囲んで上記デンタルフロス３を保護するカバー３０；を含んでいる。
【００１５】
上記把持部１０には、一対の第１の折曲線１１と一つの第２の折曲線１２が形成されている。
【００１６】
上記一対の第１の折曲線１１は、上記把持部１０が、デンタルフロス固定部２０の基部を介して、上記把持部１０の先端及び側部と協力して上記把持部１０の先端両側部で線対称的に配列された三角形の形状部１３を有するように、一端が把持部１０の先端から始まり、他端が基部側へ把持部１０の幅外側方向に直線または曲線的に伸び、把持部１０の側部に達するように形成されている。
【００１７】
また、上記第２の折曲線１２は、一端が上記把持部１０の先端一側の角から始まり、他端が基部側へ斜線で上記把持部１０の中間他側まで伸び、上記把持部１０の先端と一側部と協力して第２の三角形の形状部１０ａを上記把持部１０が有するようにする。
【００１８】
さらに、図示されていないが、上記第２の折曲線１２は、一端が上記把持部１０の先端と近接した一側部から始まり、他端が基部側へ斜線で上記把持部１０の他側部まで伸び、上記把持部１０の先端と両側部と協力して台形の形状部を上記把持部１０が有するようにする。
【００１９】
上記三角形の形状部１３は、図４に示されるように、上記三角形の形状部１３の斜辺に該当する上記第１の折曲線１１から下向に折り曲げられ、使用者が板形状の把持部１０をより一層安定的に把持できるようにする。
【００２０】
さらに別の実施例として、上記一対の第１の折曲線１１は、上記デンタルフロス固定部２０の基部と連結された上記把持部１０の先端で互いに平行に一端が始まり、他端が上記把持部１０の基部に向けて上記把持部１０の中央部まで直線または曲線的に伸びて形成されていてもよい。
【００２１】
従って、上記一対の第１の折曲線１１を介する上記把持部１０の両側部は、上記把持部１０の先端で互いに平行に上記把持部１０の基部に向けて上記把持部１０の中央部まで伸びている上記一対の第１の折曲線１１で下向に折り曲げられ、使用者が板形状の把持部１０をより一層安定的に把持できるようにする。
【００２２】
上記第２の折曲線１２を斜辺としている上記第２の三角形の形状部１０ａは、図５に示されるように、第２の折曲線１２で１８０度折り曲げられれば、デンタルフロスホルダー１００は２次元的に異なる形状を有する姿勢転換が完成される。
【００２３】
上記把持部１０とデンタルフロス固定部２０と間には第３の折曲線１６が介在され形成される。
【００２４】
上記把持部１０の先端両角には、上記デンタルフロス固定部２０が第３の折曲線１６で、一対の三角形の形状部１３が第２の折曲線１２で折り曲げられる時に、上記橋部２１、２１にそれぞれ形成された孔２１ａ、２１ａに嵌合結合され得る一対の突出バー１３ａが上記把持部１０の長手方向に、それぞれ突出形成されている。
【００２５】
参考までに、上記孔２１ａ、２１ａは矩形及び円形などの種々形状で上記橋部２１、２１に形成されていてもよいが、本発明の実施例では、矩形の形状を有する上記橋部２１、２１に形成されており、上記孔２１ａ、２１ａに挿入される突出バー１３ａの形状と対応することが好ましい。
【００２６】
従って、上記デンタルフロス固定部２０は、図６に示されるように、上記第３の折曲線１６で９０度下向に折り曲げられれば、デンタルフロスホルダー１００は３次元的に異なる形状を有する姿勢転換が完成される。上記デンタルフロス固定部２０は、上記一対の三角形の形状部１３に安定的に固定できる。
【００２７】
本発明の実施例では、上記孔２１ａと上記一対の突出バー１３ａとが嵌合結合され、上記デンタルフロス固定部２０が上記一対の三角形の形状部１３と一体的に固定された構造を説明したが、これに限定されなく、以下のような構成によって固定されていてもよい。
【００２８】
図７は、本発明の第２の実施例に係る使い捨てデンタルフロスホルダーの一部分を示した図である。
【００２９】
本実施例に係る使い捨てデンタルフロスホルダーは、図７に示されるように、上記一対の突出バー１３ａの先端に、上記突出バー１３ａの幅より直径の大きい半球形状の第１の係止片１３ｃを上記把持部１０の長手方向にそれぞれ突出形成させ、上記橋部２１、２１に形成された孔２１ａ、２１ａには上記第１の係止片１３ｃが上記孔２１ａ、２１ａに容易に挿入できるように、上記孔２１ａ、２１ａの中心で対角線上にそれぞれ切欠部２１ｃを形成させる。
【００３０】
従って、上記デンタルフロス固定部２０と一対の三角形の形状部１３とを９０度で下向折り曲げ、上記第１の係止片１３ｃを上記孔２１ａ、２１ａに挿入させれば、上記孔２１ａ、２１ａの広さが上記切欠部２１ｃによって広げられながら、上記孔２１ａ、２１ａより面積の大きい第１の係止片１３ｃが容易に挿入され得る。
【００３１】
また、上記第１の係止片１３ｃが上記孔２１ａ、２１ａに挿入された状態で、上記突出バー１３ａの先端と非接触される上記第１係止片１３ｃの軒部１３ｄが、上記一対の孔２１ａ、２１ａが形成されない上記橋部２１、２１の面と接触されるため、上記デンタルフロス固定部２０が上記一対の三角形の形状部１３に安定的に固定され得る。
【００３２】
図８及び図９は、本発明の第３の実施例に係る使い捨てデンタルフロスホルダーの第２の係止片と凹部を説明するための図であり、図１０は図８に図示された本発明の第３の実施例に係る使い捨てデンタルフロスホルダーの頭部が折り畳まれた状態を示した図である。
【００３３】
図８に示されるように、上記一対の突出バー１３ａの先端で、対向する方向に第２の係止片１３ｂを上記把持部１０の先端と一定の間隔をおいて突出形成させ、上記橋部２１、２１の先端と両端とが連結されたデンタルフロス３と対向する上記橋部２１、２１の内周面には、一対の凹部２１ｂを形成させることによって、上記デンタルフロス固定部２０と一対の三角形の形状部１３とが９０度で下向折り曲げられた時、上記凹部２１ｂが上記第２の係止片１３ｂと上記把持部１０の先端間の空間に嵌合され、上記デンタルフロス固定部２０が上記一対の三角形の形状部１３に安定的に固定することもできる。
【００３４】
また、上記把持部１０の基部中央部には、開口部１４が形成され、上記開口部１４には爪ようじ１５の基部が上記開口部１４の先端側の内面に一体的に連結され、爪ようじ１５の先端が上記開口部１４基部側の内面に向けて伸びている。
【００３５】
本発明の実施例に係る使い捨てデンタルフロスホルダー１００を使用する使用者が、前歯間に挟まった異質物を除去する時は、図５に示されるように、第２の三角形の形状部１０ａが上記第２の折曲線１２で、１８０度折り曲げられれば、デンタルフロスホルダー１００は２次元的に異なる形状を有する姿勢転換が完成される。
【００３６】
使用者は、把持部１０を把持し、上記デンタルフロス固定部２０の橋部２１、２１先端に両端が固定されたデンタルフロス３を前歯８間に入れて異質物を除去することができる。
【００３７】
この時、上記デンタルフロス３は、前歯８間の隙間と平行した状態で配置されているため、使用者は、上記把持部１０を口の内外に進退する方向に運動させ、前歯８間に挟まった異質物を容易に除去することができる。
【００３８】
さらに、本発明の実施例に係る使い捨てデンタルフロスホルダー１００を使用する使用者が、歯の構造上、内側に位置する奥歯間に挟まった異質物を除去する時は、図６に示されるように、第１の折曲線１１で、一対の三角形の形状部１３を下向に折り畳んだ状態で、上記デンタルフロス固定部２０が第３の折曲線１６で９０度下向に折り曲げられれば、デンタルフロスホルダー１００が３次元的に異なる形状を有する姿勢転換が完成される。
【００３９】
また、上記デンタルフロス固定部２０の橋部２１、２１に、それぞれ形成された孔２１ａ、２１ａに把持部１０の突出バー１３ａを嵌合させ、上記デンタルフロス固定部２０が上記一対の三角形の形状部１３に安定的に固定できるようにする。
【００４０】
上記デンタルフロス固定部２０の橋部２１、２１の先端に両端が固定されたデンタルフロス３は、上記把持部１０の長手方向と略９０度の角度を有する方向に配置され、歯の構造上、奥歯間の隙間と平行した状態で配置されているため、使用者は上記把持部１０を把持した状態で、上記デンタルフロス３を奥歯間の隙間に容易に入れ、奥歯間に挟まった異質物を除去することができる。
【００４１】
また、本発明の別の実施例に係る使い捨てデンタルフロスホルダー１００の把持部１０は、上記把持部１０の先端で基部が連結されたデンタルフロス固定部２０より薄厚の板形状のプラスチック成形体で製作されていてもよい。これは上述した第１、２の折曲線１１、１２がなくても、使用者の便宜に合せて、任意的に折り曲げられ、２次元的に異なる形状を有する構造から３次元的に異なる形状を有する構造へと姿勢転換できるようにする。
【００４２】
また、本発明のさらに別の実施例に係る使い捨てデンタルフロスホルダー１００の把持部１０は、上記デンタルフロス固定部２０の基部と同じ幅を有し、アイスクリームバーのスティックのような形状で形成されていてもよく、上記デンタルフロス固定部２０だけを第３折曲線１６で折曲させ、２次元的に異なる形状を有する姿勢から３次元的に異なる形状を有する姿勢転換が完成された状態で、使用者が使用することができる。
【００４３】
図１１〜図１３は、本発明の第４の実施例に係る使い捨てデンタルフロスホルダーを示した図である。
【００４４】
本発明の第４の実施例に係る使い捨てデンタルフロスホルダー１００は、折り畳んで形態を保持しうるプラスチック（ＰＰ、ＰＥ）の板形状の把持部１０と；把持部の先端中央部で基部が一体的に連結され、先端が上記把持部１０の長手方向に突出されており、先端が上記把持部１０の幅方向の外側方向に２つに分岐され、２つに分岐された橋部２１、２１の先端の内側部には、デンタルフロス３の両端が固定されているデンタルフロス固定部２０と；を含む。
【００４５】
把持部１０の両側部には、第１及び第２の折曲線１０−１、１０−２が長手方向にそれぞれ形成されている。従って、把持部１０は中央部材１０ａと両側部材１０ｂ、１０ｃとに区分される。一方、把持部１０とデンタルフロス固定部２０との境界部には、第３の折曲線１０−３が形成され得る。
【００４６】
上述した第１の実施例〜第３の実施例とは違って、本実施例に係るデンタルフロスホルダーは、折り曲げられたデンタルフロス固定部２０を固定させる固定手段が形成されていない。本実施例に係るデンタルフロスホルダーの使用過程を図１１〜図１３を通じて説明する。
【００４７】
まず、把持部１０の中央部材１０ａ及び両側部材１０ｂ、１０ｃが平坦形態に広がっている初期状態（図１１の状態）から、両側部材１０ｂ、１０ｃを第１及び第２の折曲線１０−１、１０−２より下向折り曲げると、両側部材１０ｂ、１０ｃは中央部材１０ａと垂直の状態に転換される（図１２の状態）。
【００４８】
この状態で、使用者は把持部１０を掴み、デンタルフロス３を歯間に挿入することができる。
【００４９】
一方、デンタルフロスホルダー１００のデンタルフロス固定部２０を口の中に入れ、奥歯間の異物質を除去するためには、使用者はデンタルフロス固定部２０を加圧して、デンタルフロス固定部２０を把持部１０に対して回転させる（図１３の状態）。この状態でデンタルフロス固定部２０を口の中に入れ、デンタルフロス３を奥歯間に入れる。
【００５０】
ここで、把持部１０とデンタルフロス固定部２０は折り畳んで形態を保持しうるプラスチック（ＰＰ、ＰＥ）材の成形体からなっているため、デンタルフロス３の使用時、デンタルフロス固定部２０が把持部１０に対して広がらなく、従って、奥歯間の異物質を簡単に除去することができる。
【００５１】
以上で説明した本発明は、本発明が属する技術分野における通常の知識を有する者が、本発明の技術的思想を逸脱しない範囲内で種々の置換、変形及び変更が可能であり、上述した実施例及び添付された図面に限定されるものではない。
【符号の説明】
【００５２】
３  デンタルフロス
１０  把持部
１０ａ  第２の三角形の形状部
１１  第１の折曲線
１２  第２の折曲線
１３  三角形の形状部
１３ａ  突出バー
１４  開口部
１５  爪ようじ
１６  第３の折曲線
２０  デンタルフロス固定部
２１  橋部
２１ａ  穴
３０  カバー
【図１】
2010119827.tif 000003
【図２】
2010119827.tif 000004
【図３】
2010119827.tif 000005
【図４】
2010119827.tif 000006
【図５】
2010119827.tif 000007
【図６】
2010119827.tif 000008
【図７】
2010119827.tif 000009
【図８】
2010119827.tif 000010
【図９】
2010119827.tif 000011
【図１０】
2010119827.tif 000012
【図１１】
2010119827.tif 000013
【図１２】
2010119827.tif 000014
【図１３】
2010119827.tif 000015